(57)【要約】      （修正有）【課題】操作部の収容時の収まりを向上させて利便性を向上させると共に、収容時の操作部の固定位置（収容位置）の位置決めを容易にする。【解決手段】車両用シートであって、シート本体３１と、前記シート本体のスライド動作のロック機構を備え、前記シート本体を支持する支持部３２と、前記支持部を覆うカバー部材３６と、前記カバー部材に配置され、前記ロック機構に連結部材を介して連結されるとともに該ロック機構に対するロック解除操作を受け付ける操作部３３と、を備え、前記操作部は、開口を有する把持部と、前記把持部から延出し、前記連結部材の端部が接続された延出部と、を含み、前記カバー部材には、前記把持部を引き出し自在に収容する凹部が設けられ、前記凹部の側壁には、前記延出部が挿入される挿入孔が設けられている。【選択図】図４
2018114931.tif 000002
【特許請求の範囲】
【請求項１】
車両用シートであって、
シート本体と、
前記シート本体のスライド動作のロック機構を備え、前記シート本体を支持する支持部と、
前記支持部を覆うカバー部材と、
前記カバー部材に配置され、前記ロック機構に連結部材を介して連結されるとともに該ロック機構に対するロック解除操作を受け付ける操作部と、
を備え、
前記操作部は、
開口を有する把持部と、
前記把持部から延出し、前記連結部材の端部が接続された延出部と、
を含み、
前記カバー部材には、前記把持部を引き出し自在に収容する凹部が設けられ、
前記凹部の側壁には、前記延出部が挿入される挿入孔が設けられている
ことを特徴とする車両用シート。
【請求項２】
前記凹部は前記カバー部材の上面に形成されており、
前記把持部は、
前記開口を囲む矩形状の枠体であり、
前記カバー部材の前記上面に沿った姿勢で前記凹部に収容される
ことを特徴とする請求項１に記載の車両用シート。
【請求項３】
前記把持部は、前記挿入孔の上方において前記側壁と当接する当接部を含む
ことを特徴とする請求項２に記載の車両用シート。
【請求項４】
前記把持部は、互いに対向する第１辺部および第２辺部を有し、
前記第１辺部は前記当接部を含み、
前記延出部は、前記第１辺部において、前記当接部の下側の位置から延出しており、
前記操作部は、前記第１辺部を支点として前記第２辺部側を回動させることで前記把持部を前記上面から起立可能に構成された
ことを特徴とする請求項３に記載の車両用シート。
【請求項５】
前記把持部は、前記第１辺部および前記第２辺部を接続する第３辺部および第４辺部を更に有し、
前記延出部は、前記第３辺部および前記第４辺部の延設方向と交差する方向に延出している
ことを特徴とする請求項４に記載の車両用シート。
【請求項６】
前記凹部は、前記シート本体に対して下部後方に位置している
ことを特徴とする請求項１から請求項５のいずれか１項に記載の車両用シート。
【請求項７】
前記操作部は、前記凹部に収容された状態において前記カバー部材の上面よりも下方に位置する
ことを特徴とする請求項１から請求項６のいずれか１項に記載の車両用シート。
【請求項８】
前記凹部の前記側壁の少なくとも一部には、前記把持部と係合する段差が形成されている
ことを特徴とする請求項１から請求項７のいずれか１項に記載の車両用シート。
【請求項９】
前記段差は、前記凹部の底壁よりも浅い位置に形成されており、前記把持部は、前記凹部における下部に指の挿入スペースを残すように、前記凹部における上部に収容される
ことを特徴とする請求項８に記載の車両用シート。
【請求項１０】
前記凹部の深さは、３５ｍｍ以上かつ５０ｍｍ以下の範囲内である
ことを特徴とする請求項９に記載の車両用シート。
【請求項１１】
前記段差の上方には傾斜面を有する傾斜部が延設されている
ことを特徴とする請求項８から請求項１０のいずれか１項に記載の車両用シート。
【請求項１２】
請求項１から請求項１１のいずれか１項に記載の車両用シートを備える
ことを特徴とする車両。
【請求項１３】
前記車両は、後部が開閉可能な車両であり、
複数の列のシートを備え、
前記車両用シートは、前記複数の列のうちの最後列に配置されている
ことを特徴とする請求項１２に記載の車両。
【請求項１４】
前記カバー部材の上方に荷室空間が形成される
ことを特徴とする請求項１３に記載の車両。
【発明の詳細な説明】
【技術分野】
【０００１】
本発明は、車両用シートおよび車両に関する。
【背景技術】
【０００２】
車両用シートのなかには、シート本体の位置調整のためのスライド動作が可能に構成されたものがある。特許文献１には、スライド動作のロック解除用の操作部として、シート背面から引き出し可能に設けられたストラップを備える車両用シートが記載されている。ユーザは、例えば、このストラップを引っ張ることでシート本体のスライド操作を行うことができる。
【先行技術文献】
【特許文献】
【０００３】
【特許文献１】特開２００３−１１８４４０号公報
【発明の概要】
【発明が解決しようとする課題】
【０００４】
車両用シートの周辺はユーザによって所定の用途で使用されることが多く、例えば、シート後方の領域は荷室空間として使用されることも多い。そのため、上記操作部は、ユーザが操作しない場合には、ユーザにとって都合の悪くない位置等、定位置に収容され、固定されることが好ましい。
【０００５】
本発明は、上記課題の認識を契機として為されたものであり、操作部の収容時の収まりを向上させて利便性を向上させると共に、収容時の操作部の固定位置（収容位置）の位置決めを容易にすることを目的とする。
【課題を解決するための手段】
【０００６】
第１の発明は、車両用シートであって、シート本体と、前記シート本体のスライド動作のロック機構を備え、前記シート本体を支持する支持部と、前記支持部を覆うカバー部材と、前記カバー部材に配置され、前記ロック機構に連結部材を介して連結されるとともに該ロック機構に対するロック解除操作を受け付ける操作部と、を備え、前記操作部は、開口を有する把持部と、前記把持部から延出し、前記連結部材の端部が接続された延出部と、を含み、前記カバー部材には、前記把持部を引き出し自在に収容する凹部が設けられ、前記凹部の側壁には、前記延出部が挿入される挿入孔が設けられていることを特徴とする。
【発明の効果】
【０００７】
第１の発明によれば、操作部の収容時の収まりがよくなることにより利便性が向上し、また、収容時の操作部の固定位置の位置決めが容易になる。
【図面の簡単な説明】
【０００８】
【図１】車両の外観を説明するための図である。
【図２】車内の様子を説明するための図である。
【図３】車両用シートの構成の例を説明するための図である。
【図４】車両用シートの構成の例を説明するための図である。
【図５】車両用シートの支持部の内部構造の例を説明するための図である。
【図６】車両用シートの支持部の内部構造の例を説明するための図である。
【図７】車両用シートの支持部の内部構造および操作部の例を説明するための図である。
【図８】カバー部材における凹部の形状の例を説明するための図である。
【図９】操作部の外形の例を説明するための図である。
【図１０】カバー部材における凹部の形状の例を説明するための図である。
【発明を実施するための形態】
【０００９】
以下、添付図面を参照しながら本発明の実施形態について説明する。なお、各図は、実施形態の構造ないし構成を示す模式図であり、図示された各部材の寸法は必ずしも現実のものを反映するものではない。
【００１０】
（車両の構成について）
図１は、実施形態に係る車両１の車体左側からの外観図である。車両１は、ハッチバック型のテールゲート１１を備える。本実施形態では、車両１は四輪の乗用車であるが、この車種に限られるものではない。例えば、テールゲート１１はスライド式のものでもよく、車両１は後部が開閉可能な構成であればよい。その他、車両１は、側方側においてフロントドアおよびリアドアを更に備え、これらのドアは、回動式であってもよいしスライド式であってもよい。
【００１１】
図２は、車両１の後方左側からの斜視図であり、テールゲート１１を不図示にして車内の様子を示す。車両１は、荷室空間２の前方側に車両用シート３を備える。車両１は、複数の列のシートを備え、車両用シート３は、これら複数の列のうちの最後列に配置されたものである。車両用シート３は、スライド機能およびリクライニング機能を有しており、例えば、リクライニング機能を用いて折り畳み可能であり、更に、スライド機能を用いて荷室空間２を広くすることも可能である。
【００１２】
（車両用シートについて）
図３は、車両用シート３の後方右側からの斜視図である。車両用シート３は、シート本体３１、支持部３２および操作部３３を備える。車両用シート３の構造の理解を容易にするため、図中には、「前」、「後」、「左」、「右」、「上」及び「下」の方向を示し、これらの方向は、以下の説明において相対的な位置関係を表現するのにも用いられる。また、これらの方向は、車両用シート３を車両１に搭載したときの車両１の方向に対応し、例えば、車両用シート３の前方向と車両１の前方向とは同方向を示す。
【００１３】
本実施形態では、シート本体３１が左右に２つ並んで配置された構造を例示するが、座席の数はこれに限られない。また、本実施形態では、シート本体３１は、座面を形成するシートクッションと、背もたれを形成するシートバックと、乗員の頭部を支持するためのヘッドレストとを有するが、この形状に限られない。
【００１４】
支持部３２は、シート本体３１を下方側から支持し、詳細は後述とするが、シート本体３１の前後方向のスライド動作を可能にする機構を備える。
【００１５】
操作部３３は、シート本体３１に対して下部後方に配置され、シート本体３１のスライド動作のロックまたはその解除を行うためのロック解除操作を受け付ける。ユーザは、操作部３３を用いて、シート本体３１をスライドさせて位置調整を行うことができる。本実施形態では、操作部３３は、２つのシート本体３１のそれぞれの後方側に配置され、一方のシート本体３１のスライド操作と、他方のシート本体３１のスライド操作とは、対応の操作部３３を用いて独立して実行可能である。
【００１６】
本実施形態では、車両用シート３は、操作部３３と隣り合うように配された固定部３４を更に備える。この固定部３４は、シート本体３１上にチャイルドシートを固定する際に用いられるが、他の実施形態として、固定部３４は省略されてもよい。
【００１７】
また、本実施形態では、シート本体３１の後方側はマット３５で覆われており、マット３５は、荷室空間２の床面を保護する保護シートとしても作用する。マット３５には、操作部３３および固定部３４が露出するように開口が設けられる。ユーザは、操作部３３および固定部３４を使用する際にマット３５を取り外す必要はないが、他の実施形態として、マット３５は省略されてもよい。
【００１８】
なお、本明細書において、ユーザは、一般には、運転手を含む車両１の乗員であるが、例えば車両１の出発準備を手伝う者等、実際には車両１に搭乗しない関係者であってもよい。
【００１９】
図４は、車両用シート３の後方左側からの斜視図であり、車両用シート３の下方部を説明するための拡大図である。ここでは説明のため、マット３５を不図示とする。車両用シート３は、支持部３２を覆うカバー部材３６を更に備える。支持部３２およびカバー部材３６は、まとめて「シートベース」と称されてもよく、また、カバー部材３６は「ベースカバー」とも称されてもよい。前述のとおり、車両用シート３は、リクライング機能を用いて折り畳み可能であり、ユーザは、車両用シート３を折り畳んでカバー部材３６の上方を荷室空間２として使用可能である。
【００２０】
詳細は後述とするが、ユーザが操作部３３を使用しない場合には、操作部３３はカバー部材３６に収容され、ユーザは、操作部３３をカバー部材３６から引き出すことによりシート本体３１をスライドさせることができる。
【００２１】
図５及び図６、支持部３２の内部構造を説明するための図である。図５は、支持部３２の内部構造の後方左側からの斜視図であり、また、図６は、下方側からみた支持部３２の内部構造を示す。
【００２２】
支持部３２は、レール３２１、スライド機構３２２およびロック機構３２３を備える。レール３２１は、支持部３２の底部に配されると共に車両１に対して固定され、シート本体３０の前後方向のスライドを可能にするガイドとして作用する。スライド機構３２２は、支持部３２の底部側にレール３５と摺動可能に配置される。ロック機構３２３は、スライド機構３２２のロックまたはロック解除を行うことが可能に構成される。
【００２３】
操作部３３は、連結部材３７１を介してロック機構３２３に連結される。本実施形態では、連結部材３７１は、例えば布製の帯等、可撓性を有するベルト状の部材である。連結部材３７１には、長手方向に離間した２点間をショートカットするように接続するゴム部材が更に設けられてもよく、これにより、操作部３３の引き出し操作の遊び（マージン）を設けることも可能である。
【００２４】
操作部３３がカバー部材３６から引っ張られると、それに伴う引張力がワイヤ３７２を介してロック機構３２３に伝達され、スライド機構３２２のロックが解除され、スライド機構３２２がレール３２１に沿って摺動可能になる。また、操作部３３が元の位置に戻されると（カバー部材３６に収容されると）、スライド機構３２２は再びロックされる。
【００２５】
操作部３３は車両用シート３の後方側に配置されるが、本実施形態では、車両用シート３の前方側には、操作部３３とは独立してロック解除操作を受け付ける他の操作部（不図示）が更に配置される。即ち、ユーザは、車両用シート３の前方側および後方側のいずれにおいてもスライド操作を行うことが可能である。図中には、上記他の操作部からのロック解除操作をロック機構３２３に伝達する連結部材３７３およびワイヤ３７４が示され、これらはそれぞれ連結部材３７１およびワイヤ３７２同様の作用を有する。
【００２６】
（操作部およびその収容構造について）
図７、図８、図９（Ａ）及び図９（Ｂ）は、操作部３３およびカバー部材３６の構造、特にそれらの形状を説明するための図である。図７は、図４に示された線Ａ−Ａでの断面図を示す。詳細は後述とするが、シート本体３１の下部後方において、カバー部材３６には、操作部３３を収容するための凹部３６１が設けられる。本実施形態では、凹部３６１は、カバー部材３６の上面に設けられる。また、詳細は後述とするが、凹部３６１の側壁３６１Ｗには、操作部３３の一部を通すための挿入孔３６２が設けられる。挿入孔３６２は、凹部３６１の底壁よりも浅い位置に形成され、本実施形態では、凹部３６１の上方部に設けられる。また、凹部３６１の他の側壁３６１Ｗには、段差３６３が設けられる。
【００２７】
図８は、カバー部材３６の凹部３６１の上方側からの斜視図を示す。ここでは凹部３６１の形状を分かりやすくするため、操作部３３および連結部材３７１については不図示とする。段差３６３は、凹部３６１の底壁よりも浅い位置に形成され、本実施形態では、挿入孔３６２と同じ位置またはそれより上方に設けられる。本実施形態では、凹部３６１は上方側からの視点において矩形状の開口であり、段差３６３は、互いに対向し且つ挿入孔３６２が設けられた側壁３６１Ｗとは異なる２つの側壁３６１Ｗのそれぞれに設けられる。また、挿入孔３６２が設けられた側壁３６１Ｗにおいて、挿入孔３６２の上方には、凸状の部分３６４が形成される。
【００２８】
図９（Ａ）は、操作部３３の上方側からの斜視図であり、また、図９（Ｂ）は、操作部３３の下方側からの斜視図である。ここでは説明のため、凹部３６１を不図示とし、操作部３３の形状を連結部材３７１と共に図示する。
【００２９】
操作部３３は、把持部３３１および延出部３３２を有する。把持部３３１は、本実施形態では、ユーザが指を挿入可能な開口３３１Ｈを有する矩形状の枠体である。具体的には、把持部３３１は、第１辺部３３１１、その反対側の第２辺部３３１２、並びに、第１辺部３３１１と第２辺部３３１２とを接続する第３辺部３３１３及び第４辺部３３１４を有する。把持部３３１は、ユーザが容易に把持できる形状であればよく、この形状に限られない。
【００３０】
延出部３３２は、把持部３３１から延出した部分であり、連結部材３７１の端部に接続される。本実施形態では、延出部３３２は、第１辺部３３１１における下側の位置から、第３辺部３３１３及び第４辺部３３１４の延設方向と交差する方向に延出している。なお、本実施形態では、把持部３３１と延出部３３２とは一体成形されているが、他の実施形態として、これらは互いに異なる部材を連結させたものであってもよい。
【００３１】
再び図７を参照すると、操作部３３は、延出部３３２が挿入孔３６２に挿入され且つ把持部３３１が凹部３６１に収まった状態で収容される。把持部３３１は、カバー部材３６から引き出し自在に凹部３６１に収容される。凹部３６１は上方側が開放しており、ユーザは、上方側から把持部３３１を把持した後、連結部材３７１が接続された延出部３３２を挿入孔３６２から引き出すと共に把持部３３１を引き出し可能である。
【００３２】
ユーザは、把持部３３１を引き出す際、まず、第１辺部３３１１を支点として第２辺部３３１２側を回動させて把持部３３１をカバー部材３６の上面から起立させた状態にし、その状態で把持部３３１を凹部３６１から引き出すことができる。延出部３３２に接続された連結部材３７１は、ガイド３８１により前方側に導かれており、ユーザが把持部３３１を引き出すと、それと共に連結部材３７１が挿入孔３６２から引き出され、それに伴う引張力がロック機構３２３に伝達される。このような把持部３３１の形状によれば、ロック解除操作が行いやすくなり、操作部３３の操作性が向上する。
【００３３】
ユーザが操作部３３を操作しない場合、操作部３３は、例えば連結部材３７１がローラー（不図示）で巻き取られることで再び収容位置に戻り、具体的には、延出部３３２が挿入孔３６２に挿入され且つ把持部３３１が凹部３６１に収まった状態になる。
【００３４】
把持部３３１は、収容時においては、カバー部材３６の上面に沿った姿勢であり、具体的には、第１辺部３３１１、第２辺部３３１２、第３辺部３３１３及び第４辺部３３１４がカバー部材３６の上面と平行な状態である。そのため、ユーザは、把持部３３１の開口３３１Ｈに上方側から真っ直ぐに指を挿入可能である。
【００３５】
操作部３３は、収容時において、第１辺部３３１１の一部である当接部３３１Ａにおいて側壁３６１Ｗと当接する。また、操作部３３は、収容時において、第２辺部３３１２および第３辺部３３１３において段差３６３で係合し当接する。よって、把持部３３１は、収容時には、凹部３６１の底壁から所定距離だけ離れた位置に固定され、ユーザは、再び操作部３３を操作する際には把持部３３１を容易に把持することができる。
【００３６】
また、操作部３３は、収容時において、カバー部材３６の上面よりも下方に位置する。これにより、ユーザが、スーツケース等の比較的大きい荷物だけでなく、アクセサリ（例えばネイルチップ、指輪、腕輪）等の比較的小さい物品を意図せずに引っ掛けてしまうことを防ぐこともできる。
【００３７】
図１０は、図４に示された線Ｂ−Ｂでの断面図を示す。カバー部材３６において、段差３６３の上方には傾斜部３６３Ｓが延設される。傾斜部３６３Ｓは、把持部３３１の第３辺部３３１３及び第４辺部３３１４のそれぞれと係合する傾斜面を有する。これにより、操作部３３を収容する際に把持部３３１の位置が凹部３６１に対して左右方向にずれたとしても、第３辺部３３１３及び第４辺部３３１４が傾斜部３６３Ｓにより正しい位置に導かれる。例えば、ユーザは、延出部３３２を挿入孔３６２に挿入した後、そのまま把持部３３１から手を放すことが可能である。これにより、把持部３３１は、傾斜部３６３Ｓにより適切な位置に導かれた後、段差３６３により適切に固定される。本実施形態によれば、操作部３３の凹部３６１への適切な収まりを容易にすることができる。
【００３８】
以上、本実施形態によれば、操作部３３の収容時のカバー部材３６に対する収まりがよくなるため、例えばユーザが荷室空間２を使用する際には荷物を移動させやすくなり、利便性が向上する。また、延出部３３２を挿入孔３６２に挿入することで、操作部３３の収容時の固定位置を、収まりのよい定位置に位置決めすることができる。また、この固定位置を、操作部３３の繰り返しの使用によって変わらないようにすることもできる。
【００３９】
本実施形態では、把持部３３１がカバー部材３６の上面に沿った姿勢で収容されるため、ユーザが把持部３３１を把持する際には開口３３１Ｈに指を挿入しやすくなり、ユーザに対する操作部３３の操作性が向上する。
【００４０】
また、把持部３３１は、当接部３３１Ａが側壁３６１Ｗと当接することによりストッパとして作用するため、収容時には操作部３３を適切に定位置に固定することができる。本実施形態では、当接部３３１Ａは、側壁３６１Ｗの凸状の部分３６４と当接するため、把持部３３１をカバー部材３６の上面から起立させる際には、第１辺部３３１１を支点として第２辺部３３１２側を回動させやすく、操作部３３の操作性も向上する。
【００４１】
更に、他の２つの側壁３６１Ｗには段差３６３が設けられているため、収容時には操作部３３の把持部３３１をこの段差３６３に係合させることにより、操作部３３をより適切に定位置に固定することができる。本実施形態では、段差３６３は、把持部３３１の第３辺部３３１３及び第４辺部３３１４と係合するように設けられるが、他の実施形態として、段差３６３は、側壁３６１Ｗの少なくとも一部に設けられればよい。
【００４２】
操作部３３は、収容時には凹部３６１における上部（底壁よりも浅い位置）に固定されるため、ユーザが把持部３３１を把持する際には開口３３１Ｈに指を挿入して把持しやすい。即ち、操作部３３は、収容時において、把持部３３１より下方に指の挿入スペースが残るように、固定されるとよい。凹部３６１は、好適には３５ｍｍ以上かつ５０ｍｍ以下の範囲内、より好適には４０ｍｍ以上かつ４５ｍｍ以下の範囲内の深さで設けられるとよい。これにより、ユーザが把持部３３１を把持する際に、一般に、指を第２関節まで開口に挿入可能となり、ユーザが把持部を把持しやすくなる。
【００４３】
また、操作部３３は、収容時にはカバー部材３６の上面よりも下方に位置するため、スーツケース等の比較的大きい荷物を移動しやすくなるだけでなく、アクセサリ等の比較的小さい物品が引っ掛かること等を防ぐこともできる。
【００４４】
（実施形態のまとめ）
第１の態様は、車両用シート（例えば３）であって、シート本体（例えば３１）と、前記シート本体のスライド動作のロック機構（例えば３２３）を備え、前記シート本体を支持する支持部（例えば３２）と、前記支持部を覆うカバー部材（例えば３６）と、前記カバー部材に配置され、前記ロック機構に連結部材（例えば３７１）を介して連結されるとともに該ロック機構に対するロック解除操作を受け付ける操作部（例えば３３）と、を備え、前記操作部は、開口（例えば３３１Ｈ）を有する把持部（例えば３３１）と、前記把持部から延出し、前記連結部材の端部が接続された延出部（例えば３３２）と、を含み、前記カバー部材には、前記把持部を引き出し自在に収容する凹部（例えば３６１）が設けられ、前記凹部の側壁（例えば３６１Ｗ）には、前記延出部が挿入される挿入孔（例えば３６２）が設けられている。
第１の態様によれば、収容時の操作部のカバー部材に対する収まりがよくなり、利便性を向上させることができる。例えば、シート後方を荷室空間として使用する場合には、ユーザが荷物を移動させるのにその荷物を操作部に引っ掛けてしまうこと等を防ぐことができる。また、第１の態様によれば、延出部が孔に挿入されることにより、操作部を、収まりのよい位置に容易に位置決めすることができ、操作部の繰り返しの使用によって収容時の操作部の固定位置が変わらないようにすることができる。
【００４５】
第２の態様では、前記凹部は前記カバー部材の上面に形成されており、前記把持部は、前記開口を囲む矩形状の枠体（例えば３３１）であり、前記カバー部材の前記上面に沿った姿勢で前記凹部に収容される。
第２の態様によれば、操作部を凹部に適切に収容可能にすると共に、ユーザが把持部を把持する際には開口に指を挿入しやすくなり、ユーザに対する操作部の操作性を向上させることができる。
【００４６】
第３の態様では、前記把持部は、前記挿入孔の上方において前記側壁と当接する当接部（例えば３３１Ａ）を含む。
第３の態様によれば、当接部が側壁と当接することによりストッパとして作用し、収容時において操作部を定位置に固定することができる。
【００４７】
第４の態様では、前記把持部は、矩形状を形成する第１辺部（例えば３３１１）と、それに対向する第２辺部（例えば３３１２）とを有し、前記第１辺部は前記当接部を含み、前記延出部は、前記第１辺部において、前記当接部の下側の位置から延出しており、前記操作部は、前記第１辺部を支点として前記第２辺部側を回動させることで前記把持部を前記上面から起立可能に構成されている。
第４の態様によれば、操作部によりロック解除操作を行いやすく、ユーザに対する操作部の操作性を向上させることができる。
【００４８】
第５の態様では、前記把持部は、前記第１辺部および前記第２辺部を接続する第３辺部（例えば３３１３）および第４辺部（例えば３３１４）を更に有し、前記延出部は、前記第３辺部および前記第４辺部の延設方向と交差する方向に延出している。
第５の態様によれば、操作部は、第１辺部を支点として第２辺部を回動させて把持部を起立させた状態で凹部から引き出すのに有利な形状をとるため、ユーザに対する操作部の操作性を向上させることができる。
【００４９】
第６の態様では、前記凹部は、前記シート本体に対して下部後方に位置している。
第６の態様によれば、ユーザは車両用シート後方からロック解除操作を行うことができる。
【００５０】
第７の態様では、前記操作部は、前記凹部に収容された状態において前記カバー部材の上面よりも下方に位置する。
第７の態様によれば、スーツケース等の比較的大きい荷物だけでなく、アクセサリ等の比較的小さい物品が引っ掛かること等、ユーザの不測のトラブルを防ぐことも可能となる。
【００５１】
第８の態様では、前記凹部の前記側壁の少なくとも一部には、前記把持部と係合する段差（例えば３６３）が形成されている。
第８の態様によれば、収容時には操作部を段差に係合させて定位置に固定することができる。
【００５２】
第９の態様では、前記段差は、前記凹部の底壁よりも浅い位置に形成されており、前記把持部は、前記凹部における下部に指の挿入スペースを残すように、前記凹部における上部に収容される。
第９の態様によれば、操作部は収容時には凹部における上部（底壁よりも浅い位置）に固定されるため、ユーザが把持部を把持する際には開口に指を挿入して把持しやすくなり、ユーザに対する操作部の操作性を向上させることができる。
【００５３】
第１０の態様では、前記凹部の深さは、３５ｍｍ以上かつ５０ｍｍ以下の範囲内である。
第１０の態様によれば、ユーザが操作部を把持する際には、一般に、指を第２関節まで開口に挿入可能となり、ユーザが把持部を把持しやすくなるため、ユーザに対する操作部の操作性を向上させることができる。特に、凹部の深さは、４０ｍｍ以上かつ４５ｍｍ以下の範囲内であるとよい。
【００５４】
第１１の態様では、前記段差の上方に、傾斜面を有する傾斜部（例えば３６３Ｓ）が延設されている。
第１１の態様によれば、把持部を適切に凹部に導くことが可能となる。これにより、例えば、ユーザが把持部から手を放した際の把持部の位置が凹部から左右方向にずれていたとしても、操作部は凹部に適切に収容される。
【００５５】
第１２の態様は、上述の車両用シートを備える車両（例えば１）である。
第１２の態様によれば、上述の車両用シートは典型的な車両に適用可能である。
【００５６】
第１３の態様では、前記車両は、後部が開閉可能な車両（例えば１）であり、複数の列のシートを備え、前記車両用シートは、前記複数の列のうちの最後列に配置されている。
第１３の態様によれば、例えばハッチバック型の車両の場合、ユーザは、車両の後ろ側から車両用シートのスライド動作のロック解除操作を行うことが可能となり、それにより、車内後方の荷室空間の広さを調節することが可能となる。
【００５７】
第１４の態様では、前記カバー部材の上方に荷室空間（例えば２）が形成される。
第１４の態様によれば、カバー部材の上方を荷室空間として使用可能であり、特に、車両用シートが折り畳み可能に構成されている場合に好適に用いられる。
【００５８】
（その他）
以上、いくつかの好適な態様を例示したが、本発明はこれらの例に限られるものではなく、本発明の趣旨を逸脱しない範囲で、その一部が変更されてもよい。また、本明細書に記載された個々の用語は、本発明を説明する目的で用いられたものに過ぎず、本発明は、その用語の厳密な意味に限定されるものでないことは言うまでもなく、その均等物をも含みうる。
【符号の説明】
【００５９】
３：車両用シート、３１：シート本体、３２：支持部、３２３：ロック機構、３３：操作部、３３１Ｈ：開口、３３１：把持部、３３２：延出部、３６：カバー部材、３６１：凹部、３６２：孔、３７１：連結部材。
【図１】
2018114931.tif 000003
【図２】
2018114931.tif 000004
【図３】
2018114931.tif 000005
【図４】
2018114931.tif 000006
【図５】
2018114931.tif 000007
【図６】
2018114931.tif 000008
【図７】
2018114931.tif 000009
【図８】
2018114931.tif 000010
【図９】
2018114931.tif 000011
【図１０】
2018114931.tif 000012